(57)【要約】  実施形態の番組情報管理装置の要求部は、サーバに対して通信ネットワークを介してチャンネルリストを取得するための要求を行う。  取得部は、今回取得した第１チャンネルリストと前回取得した第２チャンネルリストと比較して、第２チャンネルリストが第１チャンネルリストによって更新される場合に、第１チャンネルリストに対応する第１番組情報をサーバから取得する。  これにより、生成部は、第１チャンネルリスト及び第１番組情報に基づいて、番組表を生成する。
2014155516.tif 000002
【特許請求の範囲】
【請求項１】
サーバに対して通信ネットワークを介してチャンネルリストを取得するための要求を行う要求部と、
今回取得した第１チャンネルリストと前回取得した第２チャンネルリストと比較して、前記第２チャンネルリストが前記第１チャンネルリストによって更新される場合に、前記第１チャンネルリストに対応する第１番組情報をサーバから取得する取得部と、
前記第１チャンネルリスト及び前記第１番組情報に基づいて、番組表を生成する生成部と、
を備えた番組情報管理装置。
【請求項２】
各種情報を表示する表示部と、
生成された前記番組表を前記表示部に表示させる制御部と、
を備えた請求項１記載の番組情報管理装置。
【請求項３】
前記要求部が要求を行うタイミングは、当該番組情報管理装置の起動タイミング、前回の取得タイミングから所定の時間が経過したタイミング、あるいは、現在時刻が所定の時刻に至ったタイミングである、
請求項１又は請求項２記載の番組情報管理装置。
【請求項４】
前記第１チャンネルリスト及び前記第１番組情報を保存するデータベースを備え、
前記生成部は、新たなチャンネルリストが取得されるまでは、前記データベースに保存されている前記第１チャンネルリスト及び前記第１番組情報に基づいて前記番組表を生成する、
請求項１乃至請求項３のいずれかに記載の番組情報管理装置。
【請求項５】
前記番組表に含まれる番組のうち、録画対象として指定された番組の放送開始時刻及び放送終了時刻を前記第１番組情報から取得する時刻取得部と、
外部の録画機器に対して、前記放送開始時刻経過後の時刻であって前記放送終了時刻より前の時刻である予約時刻を指定して、録画予約を行う予約部と、
を備えた請求項１乃至請求項４のいずれかに記載の番組情報管理装置。
【請求項６】
前記予約部は、前記第１番組情報に基づく前記放送開始時刻及び前記放送終了時刻と、前記第１番組情報が対応する番組について放送波に含まれて送信される放送開始時刻及び放送終了時刻と、の想定されるずれ時間を考慮して前記予約時刻を設定する、
請求項５記載の番組情報管理装置。
【請求項７】
前記予約部は、前記予約時刻を前記放送開始時刻と前記放送終了時刻との間の時間帯の中央の時刻とする、
請求項５又は請求項６記載の番組情報管理装置。
【請求項８】
番組情報の管理を行う番組情報管理装置で実行される番組情報管理方法であって、
サーバに対して通信ネットワークを介してチャンネルリストを取得するための要求を行う要求過程と、
今回取得した第１チャンネルリストと前回取得した第２チャンネルリストと比較して、前記第２チャンネルリストが前記第１チャンネルリストによって更新される場合に、前記第１チャンネルリストに対応する第１番組情報をサーバから取得する取得過程と、
前記第１チャンネルリスト及び前記第１番組情報に基づいて、番組表を生成する生成過程と、
を備えた番組情報管理方法。
【請求項９】
番組情報の管理を行う番組情報管理装置をコンピュータにより制御するための制御プログラムであって、
前記コンピュータを、
サーバに対して通信ネットワークを介してチャンネルリストを取得するための要求を行う要求部と、
今回取得した第１チャンネルリストと前回取得した第２チャンネルリストと比較して、前記第２チャンネルリストが前記第１チャンネルリストによって更新される場合に、前記第１チャンネルリストに対応する第１番組情報をサーバから取得する取得部と、
前記第１チャンネルリスト及び前記第１番組情報に基づいて、番組表を生成する生成部と、
して機能させる制御プログラム。
【発明の詳細な説明】
【技術分野】
【０００１】
本発明の実施形態は、番組情報管理装置、番組情報管理方法及び制御プログラムに関する。
【背景技術】
【０００２】
従来、チャンネルコードを含むチャンネルリスト及び各チャンネルの番組情報（含む番組関連情報）を格納したメタデータサーバから、チャンネルリストおよび番組情報を取得することで、ユーザに番組表形式の番組情報画面を提示する番組情報表示装置（番組情報管理装置）が知られている。
これにより、ユーザは、番組情報表示装置上の番組情報画面に対する操作を行うことで、所望の番組情報や関連情報を閲覧し、録画の予約等をすることができる。
【先行技術文献】
【特許文献】
【０００３】
【特許文献１】特開２００８−３０１１９０号公報
【発明の概要】
【発明が解決しようとする課題】
【０００４】
ところで、メタデータサーバに格納されたチャンネルリストに含まれるチャンネル（チャンネル情報）に対し、追加、変更、削除が行われた場合に、メタデータサーバから番組情報表示装置に対し通知を行う構成を採ったとすると、メタデータサーバの運用上、コストがかかる。【０００５】
本発明の一形態は、上記に鑑みてなされたものであって、メタデータサーバから通知を行うことなく、番組情報表示装置上で、メタデータサーバ上の追加、変更、削除を反映したチャンネルリストに基づく番組情報画面を、ユーザに提示することを目的としている。
【課題を解決するための部】
【０００６】
実施形態の番組情報管理装置の要求部は、サーバに対して通信ネットワークを介してチャンネルリストを取得するための要求を行う。
取得部は、今回取得した第１チャンネルリストと前回取得した第２チャンネルリストと比較して、第２チャンネルリストが第１チャンネルリストによって更新される場合に、第１チャンネルリストに対応する第１番組情報をサーバから取得する。
これにより、生成部は、第１チャンネルリスト及び第１番組情報に基づいて、番組表を生成する。
【図面の簡単な説明】
【０００７】
【図１】図１は、実施形態の番組情報配信システムの概要構成ブロック図である。
【図２】図２は、番組情報管理装置として機能する番組情報表示装置の機能構成ブロック図である。
【図３】図３は、初期設定処理の処理フローチャートである。
【図４】図４は、サービスプロバイダ選択画面の一例の説明図である。
【図５】図５は、表示される番組表の一例の説明図である。
【図６】図６は、第１実施形態の番組表表示処理の処理フローチャートである。
【図７】図７は、第１実施形態の変形例の番組表表示処理の処理フローチャートである。
【図８】図８は、第２実施形態の番組表表示処理の処理フローチャートである。
【図９】図９は、ユーザに提示可能な番組表における番組の開始時刻に対し、放送波に含まれる電子番組表（ＥＰＧ）における番組の開始時刻がやや早い場合における問題点の説明図である。
【図１０】図１０は、ユーザに提示可能な番組表における番組の開始時刻に対し、放送波に含まれる電子番組表（ＥＰＧ）における番組の開始時刻がやや遅い場合における問題点の説明図である。
【図１１】図１１は、第３実施形態の説明図である。
【発明を実施するための形態】
【０００８】
図１は、実施形態の番組情報配信システムの概要構成ブロック図である。
番組情報配信システム１０は、番組情報を配信するメタデータサーバ１１と、各家庭ＨＭに配置され、インターネット１２を介してメタデータサーバ１１に接続するホームゲートウェイサーバ１３と、ホームゲートウェイサーバ１３に接続可能とするアクセスポイント１４と、アクセスポイント１４、ホームゲートウェイサーバ１３及びインターネット１２を介してメタデータサーバ１１に接続可能なタッチパネルディスプレイ１５Ａを備えたタブレット（携帯型情報処理装置）として構成された番組情報表示装置（番組情報管理装置）１５並びにテレビ１６及びレコーダ１７と、を備えている。
【０００９】
図２は、番組情報管理装置として機能する番組情報表示装置の機能構成ブロック図である。
番組情報表示装置１５は、メタデータサーバ１１からサービスプロバイダ（例えば、地上ディジタル放送局、放送衛星ディジタル放送局、通信衛星ディジタル放送局）に関する情報を取得するサービスプロバイダ（ＳＰ）取得部２１と、サービスプロバイダ取得部２１の情報取得結果に基づいて、ユーザが番組表を表示させるべきサービスプロバイダを選択する選択操作を行うサーバイスプロバイダ（ＳＰ）選択部２２と、インターネット１２を介してメタデータサーバ１１からチャンネルリストを取得するチャンネルリスト取得部２３と、取得したチャンネルリスト及び対応する番組情報を格納するデータベース（ＤＢ）２４と、を備えている。
【００１０】
ここで、番組情報表示装置１５は、いわゆる携帯型コンピュータとして構成され、番組情報表示装置１５全体を制御するＭＰＵ、オペレーティングシステムを含む各種制御プログラムを不揮発的に記憶するＲＯＭと、ワーキングエリアとして用いられ、各種データを一時的に記憶するＲＡＭと、ハードディスク装置、ＳＳＤ（Ｓｏｌｉｄ  Ｓｔａｔｅ  Ｄｒｉｖｅ）等として構成された外部記憶装置と、タッチパネルディスプレイ１５Ａと、無線ＬＡＮを構築可能な無線通信インタフェースと、ＵＳＢメモリ等を接続可能なＵＳＢインタフェースと、を備えている。
【００１１】
また、番組情報表示装置１５は、チャンネルリスト取得部２３により新たに取得したチャンネルリストとデータベース２４に既に格納されているチャンネルリストとを比較するチャンネルリスト比較部２５と、チャンネルリスト比較部２５の比較結果に基づいて、チャンネルリスト取得部２３により新たに取得したチャンネルリストとデータベース２４に既に格納されているチャンネルリストとが一致していない場合（チャンネルリストがデータベース２４に格納されていない場合を含む）に、チャンネルリスト取得部２３により新たに取得したチャンネルリストに対応する番組情報（たとえば、番組タイトル、放送時間帯、チャンネルロゴ、放送局名等）をインターネット１２を介してメタデータサーバ１１から取得する番組情報取得部２６と、チャンネルリスト比較部２５の比較結果に基づく最新のチャンネルリスト及び当該最新のチャンネルリストに対応し番組情報取得部２６により取得した番組情報に基づいて番組表を表示する番組表表示部２７と、を備えている。
【００１２】
次に実施形態の番組情報表示装置の動作を説明する。
まず、番組情報表示装置１５における番組表表示の初期設定処理について説明する。
図３は、初期設定処理の処理フローチャートである。
まず、ユーザが番組情報表示装置を起動すると、番組情報表示装置１５は、あらかじめサービスプロバイダ取得部２１が取得したユーザが利用可能なサービスプロバイダの情報に基づいてサービスプロバイダ選択画面を表示する（ステップＳ１）。
【００１３】
図４は、サービスプロバイダ選択画面の一例の説明図である。
サービスプロバイダ選択画面（番組表取得設定画面）３０は、地上ディジタル放送番組表取得設定領域３１と、衛星放送番組表取得設定領域３２と、設定内容を初期状態にリセットするためのリセットボタン３３と、設定内容を反映して更新を行う更新ボタン３４と、サービスプロバイダ選択画面（番組表取得設定画面）３０の表示を終了する戻るボタン３５と、サービスプロバイダ選択画面（番組表取得設定画面）３０における各種説明を表示するヘルプボタン３６と、を備えている。
【００１４】
サービスプロバイダ選択画面（番組表取得設定画面）３０の地上ディジタル放送番組表取得設定領域３１は、地上ディジタル放送を受信する地域（図４の例では、「関東地方」）を設定する地域設定領域３１Ａと、地上ディジタル放送を受信する地域内における都道府県名を設定する県名設定領域３１Ｂと、地上ディジタル放送を受信する都道府県における市区町村名を設定する市区設定領域３１Ｃと、を備えている。
【００１５】
サービスプロバイダ選択画面（番組表取得設定画面）３０の衛星放送番組表取得設定領域３２は、受信対象の衛星放送の種類（図４の例では、「ＢＳ」、「ＣＳ」、「○○○○」、…。）を表示する衛星放送種類表示領域３２Ａと、衛星放送の種類のそれぞれに対応し、衛星放送番組表取得対象である場合にチェックマークが表示される取得対象表示選択領域３２Ｂと、を備えている。
【００１６】
したがって、ユーザは、サービスプロバイダ選択画面（番組表取得設定画面）３０において、地上ディジタル放送を受信するために地上ディジタル放送番組表を取得したい地域、都道府県、市区町村を選択し、併せて、衛星放送を受信するために衛星放送番組表を取得したい衛星放送の種類を選択することとなる。
【００１７】
続いてユーザがサービスプロバイダ選択部２２として機能する番組情報表示装置１５の操作部を介してユーザがサービスプロバイダを選択すると、番組情報表示装置１５は、チャンネルリスト取得部（要求部）２３として機能し、インターネット１２を介してメタデータサーバ１１に対してユーザが選択したサービスプロバイダに属するチャンネルリストを要求する（ステップＳ２）。
【００１８】
ステップＳ２のチャンネルリストの要求に対し、メタデータサーバ１１は、対応するチャンネルリストをインターネット１２を介して番組情報表示装置１５に送付する（ステップＳ３）。
これによりチャンネルリスト取得部２３として機能する番組情報表示装置１５は、取得したチャンネルリストをデータベース２４に格納する。そして番組情報表示装置１５は、チャンネルリスト比較部（比較部）２５として機能し、新たに取得したチャンネルリストを既にデータベース２４に格納されている前回取得したチャンネルリストと比較しようとするが、この場合にはデータベース２４に前回格納されたチャンネルリストは存在しない。
【００１９】
したがって、番組情報表示装置１５は、番組情報取得部（取得部）２６として機能し、チャンネルリスト取得部２３が今回取得し、データベース２４に格納したチャンネルリストに基づいてインターネット１２を介してメタデータサーバ１１に対して、各チャンネルの番組情報を要求する（ステップＳ５）。
【００２０】
これによりメタデータサーバ１１は、番組情報表示装置１５がデータベース２４に格納したチャンネルリストに対応する各チャンネルの番組情報を番組情報表示装置１５に送付する（ステップＳ６）。
続いて、番組情報取得部２６として機能する番組情報表示装置１５は、取得した番組情報をデータベース２４に保存する（ステップＳ７）。
【００２１】
これらの結果、番組表表示部２７として機能する番組情報表示装置１５は、データベース２４に格納されている最新のチャンネルリスト及び対応する番組情報に基づいて番組表を表示することとなる（ステップＳ８）。
【００２２】
図５は、表示される番組表の一例の説明図である。
番組表４０には、放送局名が表示される放送局名表示欄４１と、時間帯毎に番組情報（図５の例の場合、番組名）がそれぞれが対応する番組枠４２に区分けされて表示される番組表示欄４３と、を備えている。
具体的には、図４中、太黒枠で示した番組枠４２には、午後（ＰＭ）７時３０分〜午後９時３０分に放送される番組の番組名［○○シネマ「百丁目の朝日」］が表示されることとなる。
【００２３】
次に初期設定終了後における番組情報表示装置１５の番組表表示処理について説明する。
図６は、第１実施形態の番組表表示処理の処理フローチャートである。
まず、ユーザが番組情報表示装置を起動すると、番組情報表示装置１５は、チャンネルリスト取得部（要求部）２３として機能し、インターネット１２を介してメタデータサーバ１１に対してユーザが初期設定処理において選択したサービスプロバイダに属するチャンネルリストを要求する（ステップＳ１１）。
【００２４】
ステップＳ１１のチャンネルリストの要求に対し、メタデータサーバ１１は、対応するチャンネルリストをインターネット１２を介して番組情報表示装置１５に送付する（ステップＳ１２）。
続いて番組情報表示装置１５は、チャンネルリスト比較部２５として機能し、データベース２４に保存されているチャンネルリスト（第２チャンネルリストに相当）と、ステップＳ１２おいて送付されたチャンネルリスト（第１チャンネルリストに相当）とを比較する（ステップＳ１３）。
【００２５】
ステップＳ１３の比較において、データベース２４に保存されているチャンネルリストと、ステップＳ１２おいて送付されたチャンネルリストとが一致している場合には（ステップＳ１３；一致）、番組情報の取得時刻を確認する（ステップＳ１４）。
【００２６】
ステップＳ１４の確認において、番組情報の取得時刻が前回の番組情報の取得時刻からの経過時間が一定時間（たとえば、２４時間）以内である場合には（ステップＳ１４；一定時間以内）、番組情報表示装置１５は、データベス２４内に保存されている番組情報をロードし（ステップＳ１５）、番組表を生成し、タッチパネルディスプレイに番組表を表示して処理を終了する（ステップＳ１６）。
【００２７】
ステップＳ１４の確認において、番組情報の取得時刻が前回の番組情報の取得時刻からの経過時間が一定時間（たとえば、２４時間）経過後である場合には（ステップＳ１４；一定時間経過後）、チャンネルリストは一致していても、その内容、すなわち、番組情報が更新されている可能性があるので、番組情報表示装置１５は、番組情報取得部２６として機能し、チャンネルリスト取得部２３が今回取得し、データベース２４に格納したチャンネルリストに基づいてインターネット１２を介してメタデータサーバ１１に対して、各チャンネルの番組情報を要求する（ステップＳ１７）。
【００２８】
これによりメタデータサーバ１１は、番組情報表示装置１５がデータベース２４に格納したチャンネルリストに対応する各チャンネルの番組情報を番組情報表示装置１５に送付する（ステップＳ１８）。
番組情報表示装置１５は、送付された番組情報に基づいて、番組表を生成し、タッチパネルディスプレイに番組表を表示する（ステップＳ１９）。
【００２９】
続いて番組情報表示装置１５は、ステップＳ１８において送付された番組情報をデータベース２４に保存して処理を終了する（ステップＳ２０）。
ステップＳ１３の比較において、データベース２４に保存されているチャンネルリストと、ステップＳ１２おいて送付されたチャンネルリストとが不一致している場合には（ステップＳ１３；不一致）、番組情報表示装置１５は、番組情報取得部２６として機能し、新たに送付されたチャンネルリストに基づいて、インターネット１２を介してメタデータサーバ１１に対して、各チャンネルの番組情報を要求する（ステップＳ２１）。
【００３０】
これによりメタデータサーバ１１は、番組情報表示装置１５が新たにデータベース２４に格納したチャンネルリストに対応する各チャンネルの番組情報を番組情報表示装置１５に送付する（ステップＳ２２）。
番組情報表示装置１５は、送付された番組情報に基づいて、番組表を生成し、タッチパネルディスプレイに番組表を表示する（ステップＳ２３）。
【００３１】
続いて番組情報表示装置１５は、ステップＳ２２において送付された番組情報をデータベース２４に保存して処理を終了する（ステップＳ２４）。
以上の説明のように本実施形態によれば、最新のチャンネルリストに基づいて番組表をユーザに提示できる。
この結果、本第１実施形態によりユーザに提示可能な番組表は、放送波に含まれる電子番組表（ＥＰＧ：Ｅｌｅｃｔｒｏｎｉｃ  Ｐｒｏｇｒａｍ  Ｇｕｉｄｅ）との不整合が抑制され、番組情報表示装置１５を用いて、録画予約などの制御をより確実に行うことができる。
【００３２】
［１．１］第１実施形態の変形例
図７は、第１実施形態の変形例の番組表表示処理の処理フローチャートである。
図７において、図６の第１実施形態と同様の部分には、同一の符号を付すものとする。  以上の第１実施形態の説明においては、メタデータサーバ１１から送付されたチャンネルリストと、データベース２４に既に保存されているチャンネルリストが不一致している場合には、新たに送付されたチャンネルリストに基づいて、各チャンネルの番組情報を自動的に要求して番組情報をメタデータサーバ１１が送付する構成を採っていた。
本第１実施形態の変形例においても、図６のステップＳ１１〜ステップＳ２０迄は同一の処理を行っている。
【００３３】
ところで、番組情報の取得は、番組情報表示装置１５において負荷が大きいため、本変形例においては、新たに送付されたチャンネルリストと、データベース２４に既に保存されているチャンネルリストと、を比較して両者が不一致した場合には、ユーザに対してチャンネルリストの変更があった旨のメッセージを表示している（ステップＳ２５）。
この結果、本第１実施形態の変形例によれば、ユーザは、番組情報の更新が必要であるか否かを判別して、必要がある場合のみ番組情報の更新を行うようにすることができ、番組情報表示装置１５のユーザの使い勝手が向上することとなる。
【００３４】
［２］第２実施形態
次に第２実施形態について説明する。
本第２実施形態において、システム構成は同様であるので、図１の説明を援用する。
図８は、第２実施形態の番組表表示処理の処理フローチャートである。
まず、番組情報表示装置１５番組情報の取得時刻を確認する（ステップＳ３１）。
【００３５】
ステップＳ３１の確認において、番組情報の取得時刻が前回の番組情報の取得時刻からの経過時間が一定時間（たとえば、２４時間）以内である場合には（ステップＳ３１；一定時間以内）、番組情報表示装置１５は、データベス２４内に保存されている番組情報をロードし（ステップＳ３２）、番組表を生成し、タッチパネルディスプレイに番組表を表示して処理を終了する（ステップＳ３３）。
【００３６】
ステップＳ３１の確認において、番組情報の取得時刻が前回の番組情報の取得時刻からの経過時間が一定時間（たとえば、２４時間）経過後である場合には（ステップＳ３１；一定時間経過後）、番組情報表示装置１５は、チャンネルリスト取得部２３として機能し、インターネット１２を介してメタデータサーバ１１に対してユーザが初期設定処理において選択したサービスプロバイダに属するチャンネルリストを要求する（ステップＳ３４）。
【００３７】
ステップＳ３４のチャンネルリストの要求に対し、メタデータサーバ１１は、対応するチャンネルリストをインターネット１２を介して番組情報表示装置１５に送付する（ステップＳ３５）。
【００３８】
続いて番組情報表示装置１５は、チャンネルリスト比較部２５として機能し、データベース２４に保存されているチャンネルリスト（第２チャンネルリストに相当）と、ステップＳ１２おいて送付されたチャンネルリスト（第１チャンネルリストに相当）とを比較する（ステップＳ３６）。
【００３９】
ステップＳ３６の比較において、データベース２４に保存されているチャンネルリストと、ステップＳ３５において送付されたチャンネルリストとが一致している場合には（ステップＳ３６；一致）、チャンネルリストは一致していても、その内容、すなわち、番組情報が更新されている可能性があるので、番組情報表示装置１５は、番組情報取得部２６として機能し、チャンネルリスト取得部２３が今回取得し、データベース２４に格納したチャンネルリストに基づいてインターネット１２を介してメタデータサーバ１１に対して、各チャンネルの番組情報を要求する（ステップＳ３７）。
【００４０】
これによりメタデータサーバ１１は、番組情報表示装置１５がデータベース２４に格納したチャンネルリストに対応する各チャンネルの番組情報を番組情報表示装置１５に送付する（ステップＳ３８）。
番組情報表示装置１５は、送付された番組情報に基づいて、番組表を生成し、タッチパネルディスプレイに番組表を表示する（ステップＳ３９）。
【００４１】
続いて番組情報表示装置１５は、ステップＳ３８において送付された番組情報をデータベース２４に保存して処理を終了する（ステップＳ４０）。
ステップＳ３６の比較において、データベース２４に保存されているチャンネルリストと、ステップＳ３５において送付されたチャンネルリストとが不一致している場合には（ステップＳ３６；不一致）、ユーザに対してチャンネルリストの変更があった旨のメッセージを表示して、番組情報を要求し、番組表の表示を更新するか否かの判断をユーザに委ねている（ステップＳ４１）。
【００４２】
以上の説明のように、本第２実施形態によれば、番組情報の取得時刻から一定時間内であれば、チャンネルリストの内容に変更は無いものとして処理することとなるので、処理負荷を低減し、処理時間の短縮化を図ることができる。
【００４３】
［３］第３実施形態
以上の説明においては、ユーザに提示可能な番組表は、放送波に含まれる電子番組表（ＥＰＧ）との不整合を抑制して、番組情報表示装置１５を用いて、録画予約などの制御をより確実に行うことができるものであったが、不整合が生じる虞がある場合の対策については述べていなかった。
【００４４】
本第３実施形態においては、ユーザに提示可能な番組表と、放送波に含まれる電子番組表（ＥＰＧ）と、の不整合が発生した場合の対策に関する実施形態である。
まず、番組情報表示装置１５がユーザに提示可能な番組表における番組の開始時刻に対し、放送波に含まれる電子番組表（ＥＰＧ）における番組の開始時刻がやや早い場合について説明する。
【００４５】
図９は、ユーザに提示可能な番組表における番組の開始時刻に対し、放送波に含まれる電子番組表（ＥＰＧ）における番組の開始時刻がやや早い場合における問題点の説明図である。
図９に示すように、例えば、番組情報表示装置１５がユーザに提示可能な番組表における番組の開始時刻が午後７時４６分であるのに対し、放送波に含まれる電子番組表（ＥＰＧ）における番組の開始時刻が午後７時４５分である場合を例として説明する。
【００４６】
ここで、番組情報表示装置１５において録画予約を行う場合の番組の指定の基本的な考え方について説明する。
番組情報表示装置１５において、レコーダ１７に対して録画予約を行う場合には、番組情報表示装置１５においてユーザが指定した番組の放送開始時刻を取得し、レコーダ１７に対して放送開始時刻に放送を行っている番組の録画予約を指示することとなる。
【００４７】
この結果、レコーダ１７においては、指示された放送開始時刻に放送しているであろう番組に対して録画予約を行うこととなる。
この結果、図９に示すように、ユーザに提示可能な番組表における番組の開始時刻（＝午後７時４６分）に対し、放送波に含まれる電子番組表（ＥＰＧ）における番組の開始時刻（＝午後７時４５分）がやや早い場合には、レコーダ１７は、ユーザに提示可能な番組表における番組の開始時刻（＝午後７時４６分）に放送している番組Ｐ１が予約されることとなり、実体的には問題は生じない。
【００４８】
しかしながら、番組情報表示装置１５から予約確認を行った場合には、レコーダ１７は、番組情報表示装置１５に対し、放送波に含まれる電子番組表（ＥＰＧ）における番組Ｐ１の開始時刻及び終了時刻を送付することとなる。
この結果、番組Ｐ１の開始時刻は、番組情報表示装置１５における番組表では、番組Ｐ０の時間帯となるため、番組Ｐ０が予約されているように見かけ上見えてしまうこととなる。
したがって、ユーザは、自己が予約しようとした番組Ｐ１とは異なる番組Ｐ０が録画予約されていると認識することとなり、不具合が生じることとなる。
【００４９】
次に、番組情報表示装置１５がユーザに提示可能な番組表における番組の開始時刻に対し、放送波に含まれる電子番組表（ＥＰＧ）における番組の開始時刻がやや遅い場合について説明する。
【００５０】
図１０は、ユーザに提示可能な番組表における番組の開始時刻に対し、放送波に含まれる電子番組表（ＥＰＧ）における番組の開始時刻がやや遅い場合における問題点の説明図である。
図１０に示すように、例えば、番組情報表示装置１５がユーザに提示可能な番組表における番組の開始時刻が午後７時４５分であるのに対し、放送波に含まれる電子番組表（ＥＰＧ）における番組の開始時刻が午後７時４６分である場合を例として説明する。
【００５１】
上述したように、レコーダ１７においては、指示された放送開始時刻に放送しているであろう番組に対して録画予約を行うこととなるので、図１０に示すように、ユーザに提示可能な番組表における番組の開始時刻（＝午後７時４５分）に対し、放送波に含まれる電子番組表（ＥＰＧ）における番組の開始時刻（＝午後７時４６分）がやや遅い場合には、レコーダ１７は、ユーザに提示可能な番組表における番組の開始時刻（＝午後７時４５分）に放送している番組Ｐ０が予約されることとなり、ユーザは、自己が予約しようとした番組Ｐ１とは異なる番組Ｐ０が録画予約されてしまうという、不具合が生じることとなる。
【００５２】
図１１は、第３実施形態の説明図である。
そこで、本第３実施形態においては、番組情報表示装置１５から録画予約を行う場合には、図１１に示すように、自己の番組表における番組Ｐ１の開始時刻ではなく、自己の番組表におけるユーザに指定された番組Ｐ１の開始時刻及び終了時刻に基づいて、例えば、番組Ｐ１の開始時刻及び終了時刻の中央の時刻（＝｛開始時刻＋終了時刻｝／２）を録画予約の指定時刻とする。
【００５３】
この結果、ユーザに提示可能な番組表における番組の開始時刻（＝午後７時４６分）に対し、放送波に含まれる電子番組表（ＥＰＧ）における番組の開始時刻（＝午後７時４５分）がやや早い場合であっても、確実に番組Ｐ１を録画予約することができる。
同様に、ユーザに提示可能な番組表における番組の開始時刻（＝午後７時４５分）に対し、放送波に含まれる電子番組表（ＥＰＧ）における番組の開始時刻（＝午後７時４６分）がやや遅い場合であっても、確実に番組Ｐ１を録画予約することができる。
【００５４】
［３．１］第３実施形態の変形例
以上の説明においては、番組Ｐ１の開始時刻及び終了時刻の中央の時刻（＝｛開始時刻＋終了時刻｝／２）を録画予約の指定時刻としていたが、各番組の開始時刻（あるいは終了時刻）のずれが所定時間以内であることがわかっているのであれば、図１１におけるユーザに提示可能な番組表における番組の開始時刻に対して、時間ΔＴを予測されるずれの最大値以上とるようにすれば同様に適用が可能である。
これらの結果、ユーザに提示可能な番組表における番組の開始時刻（＝午後７時４６分）に対し、放送波に含まれる電子番組表（ＥＰＧ）における番組の開始時刻のずれがある場合であっても、ユーザはそれを意識することなく、番組の録画予約を行うことができる。
【００５５】
［４］実施形態の変形例
本実施形態の番組情報管理装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
また、本実施形態の番組情報管理装置で実行される制御プログラムを、インターネット等のネットワークに接続されたコンピュータ上に格納し、ネットワーク経由でダウンロードさせることにより提供するように構成しても良い。また、本実施形態の番組情報管理装置で実行される制御プログラムをインターネット等のネットワーク経由で提供または配布するように構成しても良い。
また、本実施形態の番組情報管理装置の制御プログラムを、ＲＯＭ等に予め組み込んで提供するように構成してもよい。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【図１】
2014155516.tif 000003
【図２】
2014155516.tif 000004
【図３】
2014155516.tif 000005
【図４】
2014155516.tif 000006
【図５】
2014155516.tif 000007
【図６】
2014155516.tif 000008
【図７】
2014155516.tif 000009
【図８】
2014155516.tif 000010
【図９】
2014155516.tif 000011
【図１０】
2014155516.tif 000012
【図１１】
2014155516.tif 000013
【国際調査報告】
2014155516.tif 000014
2014155516.tif 000015
2014155516.tif 000016